(57)【特許請求の範囲】
【請求項１】
上部階の鉄骨梁の下フランジに沿って配したランナーを、その室内側端面が鉄骨梁の室内側端縁よりも室内側に突出するように、鉄骨梁を覆って装着された耐火被覆材で覆われた複数個の取付金具と、耐火被覆材から露出されて各取付金具に取り付けられた複数個の下地金具によって下フランジに固定する一方、下部階の鉄骨梁の上フランジにＡＬＣ下地を、その室内側端面が鉄骨梁の室内側端縁よりも室内側に突出するように、固定し、また、このＡＬＣ下地の上に木桟を固定し、この木桟の上に上記したランナーの固定位置に対応して複数個の固定金具を固定し、断熱材を内部に装着した枠状の断熱内壁下地パネルの上端部を上記したランナーに差し込むとともに下端部を上記した固定金具に固定する一方、内壁ボードを下部階から上部階にわたって断熱内壁下地パネルに沿って取り付けることを特徴とする吹き抜け構造。
【発明の詳細な説明】
【０００１】
【発明の属する技術分野】
本発明は、吹き抜け構造、特に耐火性能に優れた吹き抜け構造に関するものである。
【０００２】
【従来の技術】
従来、鉄骨構造の建物において、外壁にカーテンウォール構造を採用する場合、吹き抜け部の施工に際して、図９に示すように、外壁Ｗから離隔した位置の上部階の鉄骨梁と下部階の鉄骨梁とにランナー（図示せず）を固定するとともに、それらのランナー間に間隔をおいて複数本のメタルスタッドＭを立設し、これらの隣接するメタルスタッドＭ，Ｍ間に防水防湿シートによって袋折りされた断熱材Ｈを配設して断熱内壁下地を形成することが提案されている。そして、断熱内壁下地を形成した後、メタルスタッドＭの室内側表面に石膏ボードなどの内壁ボードＢを取り付けるようにしている。
【０００３】
この結果、室内空間の断熱性を高めると同時に、外壁裏面と断熱材との間に通風空間を確保して内部結露の発生を防止している。
【０００４】
また、図１０に示すように、鉄骨梁Ｈの表面をロックウールとセラミックファイバーなどから形成された耐火被覆材Ｒで覆う耐火仕様も設定されている。この耐火被覆材Ｒは、詳細には図示しないが、火災に際して鉄骨梁Ｈから簡単に脱落しないように表面に金網が装着されている。
【０００５】
【発明が解決しようとする課題】
ところで、前述した断熱内壁下地においては、断熱材Ｈが粘着テープＴによって固定されていることから、断熱材Ｈが長期にわたって所定位置に確実に保持されているか疑わしい。すなわち、粘着テープＴが経年変化などによって粘着力を失い、そのため、断熱材ＨがメタルスタッドＭ，Ｍ間から脱落した場合、その脱落は内壁ボードＢに遮られて確認できないことから、修復はほとんど不可能であり、その結果、断熱性能が大きく低下するものである。また、断熱材Ｈは外壁Ｗから離れて配設されていることから、粘着テープＴによる粘着作業を支えることができず、その結果、断熱材Ｈが外壁Ｗ側に押し出されてメタルスタッドＭから飛び出すこともあり、作業が煩雑になるという欠点もある。
【０００６】
また、鉄骨梁Ｈの表面を耐火被覆材Ｒで覆った耐火仕様の建物において、前述したメタルスタッドＭを固定するためのランナーを鉄骨梁Ｈに固定するには、耐火被覆材Ｒを大きく切り開いて鉄骨梁Ｈを露出させる必要がある。この結果、耐火性能が大幅に低下することから、吹き抜け部に耐火性能を付与することが困難であった。
【０００７】
本発明は、このような問題点に鑑みてなされたもので、簡単に施工することができるとともに、断熱性能を長期にわたって確保することができ、さらに、耐火性能に優れた吹き抜け構造を提供するものである。
【０００８】
【課題を解決するための手段】
本発明は、上部階の鉄骨梁の下フランジに沿って配したランナーを、その室内側端面が鉄骨梁の室内側端縁よりも室内側に突出するように、鉄骨梁を覆って装着された耐火被覆材で覆われた複数個の取付金具と、耐火被覆材から露出されて各取付金具に取り付けられた複数個の下地金具によって下フランジに固定する一方、下部階の鉄骨梁の上フランジにＡＬＣ下地を、その室内側端面が鉄骨梁の室内側端縁よりも室内側に突出するように、固定し、また、このＡＬＣ下地の上に木桟を固定し、この木桟の上に上記したランナーの固定位置に対応して複数個の固定金具を固定し、断熱材を内部に装着した枠状の断熱内壁下地パネルの上端部を上記したランナーに差し込むとともに下端部を上記した固定金具に固定する一方、内壁ボードを下部階から上部階にわたって断熱内壁下地パネルに沿って取り付けることを特徴とするものである。
【０００９】
【発明の実施の形態】
以下、本発明の実施例の形態を図面に基づいて説明する。
【００１０】
図１には、本発明の吹き抜け構造が示されており、この吹き抜け構造１は、上部階の鉄骨梁Ｈの下フランジｈ１に間隔をおいて取り付けられた複数個のランナー固定金具２と、これらのランナー固定金具２にわたってビスを介して固定されたランナー３と、下部階の鉄骨梁Ｈの上フランジｈ２にボルトナットを介して固定されたＡＬＣ（軽量気泡コンクリート）下地４と、このＡＬＣ下地４に釘止めされた木桟５と、この木桟５に釘を介して固定された固定金具６と、前述したランナー３および固定金具６によって外壁Ｗから一定距離離れた上部階の鉄骨梁Ｈと下部階の鉄骨梁Ｈ間に建て込まれた断熱内壁下地パネル７と、この断熱内壁下地パネル７に取り付けられた石膏ボードなどの内壁ボード８と、から構成されている。
【００１１】
まず、ランナー固定金具２は、鉄骨梁Ｈの下フランジｈ１に固定可能な取付金具２Ａと、この取付金具２Ａに固定可能な下地金具２Ｂと、から構成されている。
【００１２】
取付金具２Ａは、水平部２１１、この水平部２１１の左右端縁から上方に向けて折曲されるとともに、前後方向に長穴２１２ａが形成された垂直部２１２およびこれらの垂直部２１２の上端縁から外方に向けて折曲された当接部２１３を備える断面逆ハット状の金具本体２１と、この金具本体２１の各当接部２１３の端部にリベットを介して固定され、鉄骨梁Ｈの下フランジｈ１の左右端縁に係合可能な係合部２２ａを有する係合バネ片２２と、からなり、一対の係合バネ片２２の係合部２２ａの間隔は、鉄骨梁Ｈの下フランジｈ１の幅よりも若干短く設定されている他、係合バネ片２２の係合部２２ａと金具本体２１の当接部２１３との間隔は、鉄骨梁Ｈの下フランジｈ１の厚みに対応できるように設定されている。
【００１３】
一方、下地金具２Ｂは、取付部２３１およびこの取付部２３１の両側端縁に逆Ｕ字状の補強部２３２を形成した下地材２３と、この下地材２３にスポット溶接で溶着され、前述した取付金具２Ａの金具本体２１の各垂直部２１２に形成された長穴２１２ａに係合可能な係合部２４ａを有する係合バネ片２４と、からなり、一対の係合バネ片２４の係合部２４ａの間隔は、取付金具２Ａの金具本体２１の垂直部２１２の間隔よりも若干短く設定されている。
【００１４】
この取付金具２Ａおよび下地金具２Ｂからなるランナー固定金具２を鉄骨梁Ｈに取り付けるには、まず、取付金具２Ａを把持して各係合バネ片２２を上部階の鉄骨梁Ｈの下フランジｈ１の左右端縁に押し付け、係合バネ片２２をその弾性により押し開いて鉄骨梁Ｈの下フランジｈ１の左右端縁に係合させる。この際、金具本体２１の当接部２１３が鉄骨梁Ｈの下フランジｈ１の下面に当接することから、取付金具２Ａは、係合バネ片２２の係合部２２ａと金具本体２１の当接部２１３とによって鉄骨梁Ｈの下フランジｈ１を挾持するものである（図３参照）。
【００１５】
取付金具２Ａが固定されたならば、この取付金具２Ａとともに、鉄骨梁Ｈの表面を覆って耐火被覆材Ｒを取り付ける。耐火被覆材Ｒの取り付けが終了すれば、先に取り付けた取付金具２Ａの取付位置に合わせて耐火被覆材Ｒをカッターにより切り開き、その金具本体２１の水平部２１１を露出させる（図４参照）。この場合、下地金具２Ｂの係合バネ片２４を挿入できるように切り込みを入れる程度でよく、耐火性能を低下させることはない。なお、耐火被覆材Ｒの金網は、予めはさみなどで切断しておく。
【００１６】
次いで、下地金具２Ｂを把持して各係合バネ片２４を取付金具２Ａの金具本体２１の各垂直部２１２に押し付け、係合バネ片２４をその弾性により押し開いて金具本体２１の各垂直部２１２に形成された長穴２１２ａに係合させる。この際、下地材２３の取付部２３１が金具本体２１の水平部２１１に当接することから、下地金具２Ｂは、その係合バネ片２４の係合部２４ａと下地材２３の取付部２３１とによって取付金具２Ａの金具本体２１を挾持するものである（図５参照）。
【００１７】
このように、取付金具２Ａの係合バネ片２２を鉄骨梁Ｈに押し付けるだけで取付金具２Ａを鉄骨梁Ｈに簡単に取り付けることができるとともに、下地金具２Ｂの係合バネ片２４を取付金具２Ａに押し付けるだけで下地金具２Ｂを取付金具２Ａに簡単に取り付けることができる。
【００１８】
一方、ランナー３は、後述する断熱内壁下地パネル７の上端部を差し込むことができるように、断面略コ字状に形成されている。そして、ランナー３は、基準位置から設定された距離をおいてランナー固定金具２を構成する下地金具２Ｂの下地材２３の取付部２３１に付された墨出し線に合わせてビスを介して固定されるものである。
【００１９】
また、ＡＬＣ下地４は、図６に示すように、下部階の鉄骨梁Ｈの上フランジｈ２の上面にその室内側端縁より若干室内側に突出するように載置され、ボルトナットを介して固定されている。このＡＬＣ下地４の固定位置は、その室内側端面と前述したランナー３の室内側端面との間に若干隙間が形成されるように位置決めされている。
【００２０】
さらに、木桟５は、図７に示すように、その室内側端面がランナー３の室内側端面に沿うようにＡＬＣ下地４の上面に載置され、釘止めされている。
【００２１】
また、固定金具６は、図８に示すように、断熱内壁下地パネル７の奥行きに相当する長さに形成された水平部６１および水平部６１の一端に上方に向けて折曲された垂直部６２によって断面Ｌ字状に折曲されており、水平部６１の他端には複数個の釘穴６３ａを形成した係止片６３が延設されている。そして、固定金具６は、その垂直部６２に断熱内壁下地パネル７の下端部背面が当接するようになっており、前述したランナー３の固定位置に合わせて、具体的には、水平部６１と係止片６３との接続部が木桟５の室内側端縁に合致するように、木桟５に固定されるものである。
【００２２】
なお、断熱内壁下地パネル７は、縦桟および横桟によって矩形に枠組みされた木製枠材７１の各区画された空間内にロックウールやグラスウールなどの断熱材７２を詰め込み、片面に防水防湿シート（図示せず）を貼着して形成されている。
【００２３】
次に、このような吹き抜け構造１を施工するには、まず、ランナー固定金具２を構成する取付金具２Ａを一定間隔をおいて上部階の鉄骨梁Ｈの下フランジｈ１に取り付ける。すなわち、取付金具２Ａの各係合バネ片２２を鉄骨梁Ｈの下フランジｈ１の左右端縁に押し付け、係合バネ片２２をその弾性により押し開いて鉄骨梁Ｈの下フランジｈ１の左右端縁に係合させ、金具本体２１の当接部２１３との間で鉄骨梁Ｈの下フランジｈ１を挾持する。また、下部階の鉄骨梁Ｈの上フランジｈ２の上面にＡＬＣ下地４を載置し、予め鉄骨梁Ｈの上フランジｈ２に形成された穴にＡＬＣ下地４の穴を合わせてボルトナットを介して固定しておく。
【００２４】
次いで、ランナー固定金具２の取付金具２Ａおよび鉄骨梁Ｈを覆って耐火被覆材Ｒを装着する。このような耐火被覆工事が終了すれば、さきに取り付けた取付金具２Ａの取付位置に合わせて耐火被覆材Ｒを切り開き、その金具本体２１の水平部２１１を露出させる。その後、下地金具２Ｂを把持して各係合バネ片２４を取付金具２Ａの金具本体２１の各垂直部２１２に押し付け、係合バネ片２４をその弾性により押し開いて取付金具２Ａの金具本体２１の各垂直部２１２に形成された長穴２１２ａに係合させ、その下地材２３との間で取付金具２Ａの金具本体２１を挾持する。
【００２５】
ランナー固定金具２の下地金具２Ｂが取り付けられたならば、その下地材２３の取付部２３１に基準位置から設定された距離をおいて墨を打ち、その墨出し線に合わせてランナー３を配置し、ビスを介して固定する。この結果、ランナー３は、家を建築する際の基準位置から正確に距離をおいて位置決めされることになる。
【００２６】
その後、鉄骨梁Ｈの上フランジｈ２に固定されたＡＬＣ下地４の上面に木桟５を載置し、その室内側端面をランナー３の室内側端面に合わせて釘止めする。木桟５が固定されたならば、ランナー３の固定位置に合わせて一定間隔をおいて複数個の固定金具６をビスを介して木桟５に固定する。
【００２７】
次いで、断熱内壁下地パネル７を把持し、その上端部をランナー３に差し込むとともに、その下端部背面を固定金具６の垂直部６２に当接させた後、固定金具６の係止片６３を上方に向けて折り返して断熱内壁下地パネル７の下端部表面に密着させ、釘を介して固定する。以下、同様に断熱内壁下地パネル７を建て込む。そして、断熱内壁下地パネル７の建て込みが終了すれば、石膏ボードなどの内壁ボード８を取り付ければよい。
【００２８】
【発明の効果】
以上のように本発明によれば、断熱材が内部装着された断熱内壁下地パネルが、ランナーと固定金具で鉄骨梁の上下フランジ間に固定されるため、断熱材が時間の経過とともに装着位置から分離することはなく、吹き抜けの断熱性能を長期にわたって確保することができる。また、鉄骨梁および取付金具は耐火被覆材で覆われているため、吹き抜けの耐火性能を向上させることができる。
【図面の簡単な説明】
【図１】本発明の吹き抜け構造を示す縦断面図である。
【図２】ランナー固定金具を示す斜視図である。
【図３】鉄骨梁に対するランナー固定金具の取付金具の取り付け状態を示す斜視図である。
【図４】取付金具および鉄骨梁を覆って装着された耐火被覆材を切り開いて取付金具を露出させた状態を示す斜視図である。
【図５】ランナー固定金具の下地金具を耐火被覆材を切り開いて露出させた取付金具に取り付けた状態を示す斜視図である。
【図６】鉄骨梁に対するＡＬＣ下地の固定要領を示す説明図である。
【図７】ＡＬＣ下地に対する木桟の固定要領を示す説明図である。
【図８】固定金具を示す斜視図である。
【図９】従来の吹き抜け構造の横断面図である。
【図１０】鉄骨梁の表面を耐火被覆材で覆った耐火仕様を示す斜視図である。
【符号の説明】
１  吹き抜け構造
２  ランナー固定金具
２Ａ  取付金具
２１  金具本体
２２  係合バネ片
２２ａ  係合部
２Ｂ  下地金具
２３  下地材
２４  係合バネ片
２４ａ  係合部
３  ランナー
４  ＡＬＣ下地
５  木桟
６  固定金具
６１  水平部
６２  垂直部
６３  係止片
７  断熱内壁下地パネル
Ｈ  鉄骨梁
ｈ１  下フランジ
ｈ２  上フランジ
Ｗ  外壁
Ｒ  耐火被覆材
【図１】
0003563548.tif 000002
【図２】
0003563548.tif 000003
【図３】
0003563548.tif 000004
【図４】
0003563548.tif 000005
【図５】
0003563548.tif 000006
【図６】
0003563548.tif 000007
【図７】
0003563548.tif 000008
【図８】
0003563548.tif 000009
【図９】
0003563548.tif 000010
【図１０】
0003563548.tif 000011